【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
共同編集の競合を管理するための方法であって、
ドキュメントへの複数のユーザーによる同時の共同編集アクセスを提供するステップと、
第１のユーザーにより前記ドキュメント内のコンテンツに対して行われた第１の変更をセーブするインジケーションを受け取るステップと、
第２のユーザーによる前記コンテンツに対する編集を同時に受信しながら前記ドキュメント内のコンテンツに対しての前記第１の変更をセーブするステップと、
前記第２のユーザーによる前記ドキュメント内の前記コンテンツに対して行われた第２の変更をセーブするインジケーションを受け取るステップと、
前記ドキュメント内のコンテンツに対して行われた前記第２の変更が、前記ドキュメント内のコンテンツに対して行われた前記第１の変更と競合するかどうかを判定するステップと、
競合があると判定された場合に、前記第２の変更を、前記ドキュメント内のコンテンツに関連する競合コメントとしてセーブし、前記第１のユーザー及び第２のユーザーが前記競合を解決することなしに前記ドキュメントの編集を継続することを可能にするステップと
を含む方法。
【請求項２】
請求項１に記載の方法であって、前記ドキュメント内のコンテンツに対して行われた前記第２の変更が、前記ドキュメント内のコンテンツに対して行われた前記第１の変更と競合するかどうかを判定する前記ステップは、前記ドキュメントにおける前記第２の変更の位置を識別するステップと、前記第２の変更と前記第１の変更とがあるコンテンツ・ブロックにあるかどうかを判定するステップとを含む、方法。
【請求項３】
請求項２に記載の方法であって、前記コンテンツ・ブロックは、前記ドキュメントの文、段落、セル、表、又は決められたセクションを含む方法。
【請求項４】
請求項１に記載の方法であって、前記ドキュメントの表示において、前記第２の変更を前記競合コメントとして提供するステップを更に含む方法。
【請求項５】
請求項４に記載の方法であって、前記ドキュメントの表示において、前記第２の変更を前記競合コメントとして提供するステップは、前記ドキュメントの表示において前記競合コメントをインラインで表示するステップを含む方法。
【請求項６】
請求項４に記載の方法であって、前記ドキュメントの表示において、前記第２の変更を前記競合コメントとして提供するステップは、前記ドキュメントの前記表示の側部にペイン内の前記競合コメントを表示するステップを含む方法。
【請求項７】
請求項４に記載の方法であって、前記第２の変更を受け入れるための、選択可能な機能コントロールを提供するステップを更に含む方法。
【請求項８】
請求項７に記載の方法であって、前記第２の変更を受け入れることは、元のコンテンツまたは以前にセーブされた変更を、前記第２の変更により置き換えることを含む、方法。
【請求項９】
請求項４に記載の方法であって、ユーザーが前記第２の変更と関連するコメント、応答、またはメッセージを提供することを可能にするコメント機能を提供するステップを更に含む方法。
【請求項１０】
請求項１に記載の方法であって、前記競合の通知を提供するステップをさらに含む方法。
【請求項１１】
共同編集の競合を管理するためのシステムであって、
処理装置と、
複数のユーザーにより同時にアクセスされ得るドキュメントを格納するように構成されるデータストアと、
コラボレーション・レビュー・マネージャーであって、
前記ドキュメントへの複数のユーザーによる同時の共同編集アクセスを提供し、
第１のユーザーにより前記ドキュメント内のコンテンツに対して行われた第１の変更をセーブするインジケーションを受け取り、
第２のユーザーによる前記コンテンツに対する編集を同時に受信しながら前記ドキュメントに対しての前記第１の変更をセーブし、
第２のユーザーにより前記ドキュメント内のコンテンツに対して行われた第２の変更をセーブするインジケーションを受け取り、
前記ドキュメントにおける前記第２の変更の位置を識別し、
前記ドキュメント内のコンテンツに対して行われた前記第２の変更と、前記ドキュメント内のコンテンツに対して行われた前記第１の変更とがあるコンテンツ・ブロックにあるかどうかを判定し、
前記ドキュメント内のコンテンツに対して行われた前記第２の変更と、前記ドキュメント内のコンテンツに対して行われた前記第１の変更とが前記コンテンツ・ブロックにある場合に、前記第２の変更が競合する変更であるかどうかを判定し、
その競合する変更を、前記ドキュメント内のコンテンツに関連する競合コメントとしてセーブし、前記第１のユーザー及び第２のユーザーが前記競合を解決することなしに前記ドキュメントの編集を継続することを可能にする
ように動作するコラボレーション・レビュー・マネージャーと
を含むシステム。
【請求項１２】
請求項１１に記載のシステムであって、前記コラボレーション・レビュー・マネージャーは更に、前記ドキュメントの表示において、前記の競合する変更を競合コメントとして提供するように動作する、システム。
【請求項１３】
請求項１２に記載のシステムであって、前記競合する変更は前記ドキュメントの表示においてインラインで表示される、システム。
【請求項１４】
請求項１２に記載のシステムであって、前記競合コメントは、変更を受け取る前の元のコンテンツと、前記ドキュメント内のコンテンツに対して行われた前記第１の変更と、前記ドキュメント内のコンテンツに対して行われた第２の変更とを含む、システム。
【請求項１５】
請求項１４に記載のシステムであって、前記競合コメントは更に、競合する変更を受け入れるための選択可能な機能コントロールを含み、競合する変更を受け入れることは、元のコンテンツまたは以前にセーブされた変更を、前記競合する変更により置き換えることを含む、システム。
【請求項１６】
請求項１１に記載のシステムであって、前記コラボレーション・レビュー・マネージャーは更に、ユーザーが前記競合する変更と関連するコメント、応答、またはメッセージを提供することを可能にするコメント機能を提供するように動作する、システム。
【請求項１７】
コンピューター可読記憶装置であって、共同編集の競合を管理するためのコンピューター実行可能命令を有し、
前記ドキュメントへの複数のユーザーによる同時の共同編集アクセスを提供することと、
第１のユーザーにより前記ドキュメント内のコンテンツに対して行われた第１の変更をセーブするインジケーションを受け取ることと、
第２のユーザーによる前記コンテンツに対する編集を同時に受信しながら前記ドキュメント内のコンテンツに対しての前記第１の変更をセーブすることと、
第２のユーザーにより前記ドキュメント内のコンテンツに対して行われた第２の変更をセーブするインジケーションを受け取ることと、
前記ドキュメントにおける前記第２の変更の位置を識別することと、
前記ドキュメント内のコンテンツに対して行われた前記第２の変更と、前記ドキュメント内のコンテンツに対して行われた前記第１の変更とがあるコンテンツ・ブロックにあるかどうかを判定することと、
前記ドキュメント内のコンテンツに対して行われた前記第２の変更と、前記ドキュメント内のコンテンツに対して行われた前記第１の変更とが前記コンテンツ・ブロックにある場合に、前記第２の変更が競合する変更であるかどうかを判定することと、
その競合する変更を、前記ドキュメント内のコンテンツに関連する競合コメントとしてセーブし、前記第１のユーザー及び第２のユーザーが前記競合を解決することなしに前記ドキュメントの編集を継続することを可能にすることと、
前記ドキュメントの表示において、前記の競合する変更を競合コメントとして提供することと、ここにおいて、前記競合コメントは、変更を受け取る前の元のコンテンツと、前記ドキュメント内のコンテンツに対して行われた前記第１の変更と、前記ドキュメント内のコンテンツに対して行われた第２の変更と、競合する変更を受け入れるための選択可能な機能コントロールとを含むものであり、且つ、競合する変更を受け入れることは、元のコンテンツまたは以前にセーブされた変更を、前記競合する変更により置き換えることを含むものであることと、
ユーザーが、前記競合する変更と関連するコメント、応答、またはメッセージを提供することを可能にするコメント機能を提供することと
を含む、
コンピューター可読記憶装置。